(57)【要約】      （修正有）【課題】遊技機に取り付けられたＩＣタグに不正行為が加わると、その事実を簡単かつ短時間でチェック、監視することができる遊技機の改竄監視システムを提供する。【解決手段】遊技機の改竄監視システム１０におけるパチンコ機１２の基板収容ケース１４にはＩＣタグ２０が貼付されている。また、パチンコ機１２の背面にはアンテナ３０が１個づつ配設されている。このアンテナ３０はアンテナ用ＬＡＮケーブル３２を介してコントローラーと接続されている。コントローラーはコントローラー用ＬＡＮケーブル３６を介して中継基板３８に接続されている。この中継基板３８は中継基板用ＬＡＮケーブル４０を介してパチンコ店の管理室等に設置されたパソコン４２に接続されている。【選択図】図１
0003134405.tif 000002
【実用新案登録請求の範囲】
【請求項１】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナに接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピュータに異常情報を報告するコントローラーと、このコントローラーと接続されると共にコントローラーから異常情報の報告を受けると画面に異常情報を発信したＩＣタグが取り付けられた遊技機を特定して表示する前記管理用コンピューターと、を有してなることを特徴とする遊技機の改竄監視システム。
【請求項２】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナに接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピュータに異常情報を報告する複数のコントローラーと、これら複数のコントローラーと接続されると共にコントローラーから異常情報の報告を受けると画面に異常情報を発信したＩＣタグが取り付けられた遊技機を特定して表示する前記管理用コンピューターと、を有してなることを特徴とする遊技機の改竄監視システム。
【請求項３】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信したＩＣタグが取り付けられた遊技機を特定して表示する前記管理用コンピューターと、を有してなることを特徴とする遊技機の改竄監視システム。
【請求項４】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ中継基板を介して管理用コンピュータに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信したＩＣタグが取り付けられた遊技機を特定して表示する前記管理用コンピューターと、を有してなることを特徴とする遊技機の改竄監視システム。
【請求項５】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナと接続されてそれぞれのアンテナに対して順番に繰り返し前記ＩＣタグの情報確認指示を出すコントローラーと、このコントローラーと接続されてコントローラーから送られてきた前記ＩＣタグごとの情報を照合、判断すると共に前記情報が異常情報であると判断した場合のみ画面に異常情報を発信したＩＣタグが取り付けられた遊技機を特定して表示する管理用コンピューターと、を有してなることを特徴とする遊技機の改竄監視システム。
【請求項６】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナと接続されてそれぞれのアンテナに対して順番に繰り返し前記ＩＣタグの情報確認指示を出す複数のコントローラーと、これら複数のコントローラーと接続されてコントローラーから送られてきた前記ＩＣタグごとの情報を照合、判断すると共に前記情報が異常情報であると判断した場合のみ画面に異常情報を発信したＩＣタグが取り付けられた遊技機を特定して表示する管理用コンピューターと、を有してなることを特徴とする遊技機の改竄監視システム。
【請求項７】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出す複数のコントローラーと、これら複数のコントローラーと接続されると共にコントローラーから送られてきた前記ＩＣタグごとの情報を照合、判断して前記情報が異常情報であると判断した場合のみ画面に異常情報を発信したＩＣタグが取り付けられた遊技機を特定して表示する管理用コンピューターと、を有してなることを特徴とする遊技機の改竄監視システム。
【請求項８】
複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記ＩＣタグごとの情報を照合、判断して前記情報が異常情報であると判断した場合のみ画面に異常情報を発信したＩＣタグが取り付けられた遊技機を特定して表示する管理用コンピューターと、を有してなることを特徴とする遊技機の改竄監視システム。
【考案の詳細な説明】
【技術分野】
【０００１】  本考案は、パチンコ機等の遊技機が改竄されたか否かを確実かつ短時間で監視できる遊技機の改竄監視システムに関する。
【背景技術】
【０００２】  パチンコ機の内部にはパチンコ機のゲーム全般をコントロールする制御部としての制御基板が基板収容ケースに収容された状態で配設されている。
このため、不正に前記基板収容ケースのケース蓋を開けて制御基板の電子部品を改造電子部品に交換する等、前記制御基板を改竄することにより当該パチンコ機のゲームをコントロールして多くの出玉を不正に獲得する不正行為が可能となっている。
そこで、この不正行為を阻止するため前記制御基板が収容される基板収容ケースのケース本体とケース蓋に跨るようにして封印シールを接着することにより基板収容ケースが不正に開けられるのを防止している。
しかし、接着されている前記封印シールを強制的に剥がして前記基板収容ケースのケース蓋を開けて制御基板の電子部品を改造電子部品に交換等しても前記封印シールを元のように接着しておけば前記ケース蓋を開けた事実をチェックしにくく、この結果前記改竄行為を見逃してしまうという不具合がある。
そこで、前記基板収容ケースのケース本体とケース蓋に跨るようにしてＩＣチップを貼付しておいてＩＣチップ読取チェッカーを使用して前記ＩＣチップを読み取ることにより前記制御部に対して改竄が行われたか否かをチェックする遊技機の制御基板改竄チェックシステムが提案されている（特許文献１）。
しかし、この遊技機の制御基板改竄チェックシステムは改竄が行われたか否かをチェックする場合はパチンコ機の前記基板収容ケースのケース蓋に貼付されたＩＣチップにＩＣ読取チェッカーを一々対応させて改竄が行われたか否かをチックする必要がある。
従って、大型のパチンコ店のように多数のパチンコ機が設置されている場合等においては１台づつパチンコ機をチェックする必要があるので改竄チェックに時間と労力が必要になる。
また、多数のパチンコ機について１台づつ順番に改竄チェックを行うため改竄が行われたパチンコ機を発見するまでの時間が長くなり改竄事実を知るのが遅くなる。
【特許文献１】特開２００５−２１３１４公報
【考案の開示】
【考案が解決しようとする課題】
【０００３】  本考案は、上記事実に鑑みなされたものであり、遊技機を改竄するために遊技機に取り付けられたＩＣタグに不正行為が加わると、その事実を簡単かつ短時間でチェック、監視することができる遊技機の改竄監視システムを提供するものである。
【課題を解決するための手段】
【０００４】  請求項１の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナに接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピュータに異常情報を報告するコントローラーと、このコントローラーと接続されると共にコントローラーから異常情報の報告を受けると画面に異常情報を発信したＩＣタグが取り付けられた遊技機を特定して表示する前記管理用コンピューターと、を有してなることを特徴としている。
請求項２の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナに接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピュータに異常情報を報告する複数のコントローラーと、これら複数のコントローラーと接続されると共にコントローラーから異常情報の報告を受けると画面に異常情報を発信したＩＣタグが取り付けられた遊技機を特定して表示する前記管理用コンピューターと、を有してなることを特徴としている。
請求項３の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ管理用コンピューターに異常情報を報告する複数のコントローラーと、これら複数のコントローラーと接続されると共に前記コントローラーから異常情報の報告を受けると画面に異常情報を発信したＩＣタグが取り付けられた遊技機を特定して表示する前記管理用コンピューターと、を有してなることを特徴としている。
請求項４の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出すと共にそれぞれのアンテナから送られてきた前記ＩＣタグごとの情報を照合、判断して前記情報が異常情報であると判断した場合のみ中継基板を介して管理用コンピュータに異常情報を報告する複数のコントローラーと、これら複数のコントローラーとコントローラー用ＬＡＮケーブルを介して接続された前記中継基板と、この中継基板と中継基板用ＬＡＮケーブルを介して接続されて前記コントローラーから異常情報の報告を受けると画面に異常情報を発信したＩＣタグが取り付けられた遊技機を特定して表示する前記管理用コンピューターと、を有してなることを特徴としている。
請求項５の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナと接続されてそれぞれのアンテナに対して順番に繰り返し前記ＩＣタグの情報確認指示を出すコントローラーと、このコントローラーと接続されてコントローラーから送られてきた前記ＩＣタグごとの情報を照合、判断すると共に前記情報が異常情報であると判断した場合のみ画面に異常情報を発信したＩＣタグが取り付けられた遊技機を特定して表示する管理用コンピューターと、を有してなることを特徴としている。
請求項６の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナと接続されてそれぞれのアンテナに対して順番に繰り返し前記ＩＣタグの情報確認指示を出す複数のコントローラーと、これら複数のコントローラーと接続されてコントローラーから送られてきた前記ＩＣタグごとの情報を照合、判断すると共に前記情報が異常情報であると判断した場合のみ画面に異常情報を発信したＩＣタグが取り付けられた遊技機を特定して表示する管理用コンピューターと、を有してなることを特徴としている。
請求項７の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出す複数のコントローラーと、これら複数のコントローラーと接続されると共にコントローラーから送られてきた前記ＩＣタグごとの情報を照合、判断して前記情報が異常情報であると判断した場合のみ画面に異常情報を発信したＩＣタグが取り付けられた遊技機を特定して表示する管理用コンピューターと、を有してなることを特徴としている。
請求項８の考案は、複数の遊技機を１台づつ順番に連続して繰り返し監視する遊技機の改竄監視システムであって、監視する複数の遊技機ごとに取り付けられたＩＣタグと、前記複数の遊技機ごとに対応して配設されると共に前記ＩＣタグの情報を受信するアンテナと、これらアンテナとアンテナ用ＬＡＮケーブルを介して接続されてそれぞれのアンテナに対して順番に繰り返し前記ＩＣタグの情報確認指示を出す複数のコントローラーと、これら複数のコントローラーとコントローラー用ＬＡＮケーブルを介して接続される中継基板と、この中継基板と中継基板用ＬＡＮケーブルを介して接続されると共にそれぞれのコントローラーから前記中継基板を介して送られてきた前記ＩＣタグごとの情報を照合、判断して前記情報が異常情報であると判断した場合のみ画面に異常情報を発信したＩＣタグが取り付けられた遊技機を特定して表示する管理用コンピューターと、を有してなることを特徴としている。
【考案の効果】
【０００５】  本考案の遊技機の改竄監視システムは、遊技機が改竄された事実等を短時間でチェック、監視することができるという優れた効果を有する。
また、本考案の遊技機の改竄監視システムは、複数設置されている遊技機の中で改竄されたおそれのある遊技機を短時間で特定することができるので遊技機を多数設置している店舗において少ない労力で多数の遊技機の改竄事実を効率的にチェック、監視することができるという優れた効果を有する。
さらに、本考案の遊技機の改竄監視システムは、遊技機が改竄された事実等を短時間で特定してチェック、監視することができるので遊技機の改竄事実を直ぐに知ることができ不正行為を未然に防止することができるという優れた効果を有する。
【考案を実施するための最良の形態】
【０００６】  考案を実施するために最良の形態の例として以下のような実施例を示す。
【実施例１】
【０００７】  図１及び図２には本考案に係る遊技機の改竄監視システムの第１実施例が示されている。なお、この実施例では遊技機の改竄監視システム１０を遊技機としてのパチンコ機１２に使用する場合を例にして説明する。
図１に示されるように、遊戯機としてのパチンコ機１２の背面内側には適宜手段を介して基板収容ケース１４が配設固定されている。この基板収容ケース１４にはパチンコ機１２の出玉数等のゲームをコントロールする制御部としての制御基板（図示せず）が収容されている。
また、前記基板収容ケース１４はケース本体１６とケース蓋１８から形成され、ケース本体１６の内側に前記制御基板が配設固定されている。
前記ケース本体１６とケース蓋１８の境目にはケース本体１６とケース蓋１８に跨って矩形ラベル状のＩＣタグ２０が貼付されている。
図２に示されるように、このＩＣタグ２０のパッケージ部２２は透明な合成樹脂材で矩形状に形成されている。このパッケージ部２２には種々の情報を記憶された極めて薄いＩＣチップ２４が内蔵されている。この実施例ではこのＩＣチップ２４に記憶される情報の一つとして前記パチンコ機１２が設置されるパチンコ店のコード番号（ＩＣタグ２０の販売会社が独自に作る番号で、例えばＡパチンコ店には「０００１」というコード番号）が記憶されている。
また、前記ＩＣタグ２０の裏面には接着剤２６が塗布され、接着剤２６を介してＩＣタグ２０は基盤収容ケース１４に接着して貼付されるようになっている。なお、この接着剤２６は予め剥離シート（図示せず）が接着され、ＩＣタグ２０の使用前にＩＣタグ２０が不用意に接着しないようになっている。
図１に示されるように、前記パチンコ機１２の背面には前記ＩＣタグ２０と約３０ｃｍ〜約５０ｃｍの間隔を設けてリング状のアンテナ３０が１個配設されている（なお、図１においては便宜上パチンコ機１２とアンテナ３０が作図上重ならないようにアンテナ３０をパチンコ機１２の横に示す）。なお、前記ＩＣタグ２０と前記アンテナ３０の間隔を約３０ｃｍ〜約５０ｃｍとしたのはＩＣタグ２０とアンテナ３０が離れすぎるとアンテナ３０がＩＣタグ２０の情報を受信できなくなるのを防ぐためである。
前記アンテナ３０は前記ＩＣタグ２０との通信を行う装置である。具体的には、前記ＩＣタグ２０のアンテナ部から発信されるＩＣタグ２０の情報を受信する機能を有している。また、前記アンテナ３０はアンテナ毎にＩＰと称される個別の調別番号を有している。従って、このＩＰにより当該アンテナ３０が何番台のパチンコ機１２をチェック、監視しているかを後述する管理用コンピューターで判断できるようになっている。
図１に示されるように、この実施例の遊技機の改竄監視システム１０においては第１コントローラー３４Ａ，第２コントローラー３４Ｂ，第３コントローラー３４Ｃ，第４コントローラー３４Ｄの４台のコントローラーが備えられている。
これら第１コントローラー３４Ａ，第２コントローラー３４Ｂ，第３コントローラー３４Ｃ，第４コントローラー３４Ｄは、それぞれ１６本のアンテナ用ＬＡＮケーブル３２と接続され、１６個のアンテナ３０と接続されている（なお、作図の都合上、図１には前記第１コントローラー３４Ａに１本のアンテナ用ＬＡＮケーブル３２と１個のアンテナ３０を示す）。
前記第１コントローラー３４Ａ，第２コントローラー３４Ｂ，第３コントローラー３４Ｃ，第４コントローラー３４Ｄは接続されたそれぞれのアンテナ３０の管理を行う機能を有している。また、第１コントローラー３４Ａ，第２コントローラー３４Ｂ，第３コントローラー３４Ｃ，第４コントローラー３４Ｄはそれぞれのアンテナ３０から受け取ったＩＣタグ２０の情報の比較、照合、判断（例えば情報が正常か異常かの判断）を行う機能を有している。
さらに、前記第１コントローラー３４Ａ，第２コントローラー３４Ｂ，第３コントローラー３４Ｃ，第４コントローラー３４Ｄはアンテナ３０からの情報が異常情報と判断した場合に後述する管理用コンピューターに異常情報を送信する機能を有している。
この実施例の遊技機の改竄監視システム１０においては第１コントローラー３４Ａは１番台〜１６番台のパチンコ機１２を監視し、第２コントローラー３４Ｂは１７番台〜３２番台のパチンコ機１２を監視し、第３コントローラー３４Ｃは３３番台〜４８番台のパチンコ機１２を監視し、第４コントローラー３４Ｄは４９番台〜６４番台のパチンコ機１２を監視するようになっている。
従って、この実施例では第１コントローラー３４Ａ，第２コントローラー３４Ｂ，第３コントローラー３４Ｃ，第４コントローラー３４Ｄの４台のコントローラーで６４台のパチンコ機１２の改竄を監視することができるようになっている。
前記第１コントローラー３４Ａ，第２コントローラー３４Ｂ，第３コントローラー３４Ｃ，第４コントローラー３４Ｄはそれぞれのコントローラー用ＬＡＮケーブル３６を介して中継基板３８に接続されている。この中継基板３８はＨＵＢと呼ばれる集線装置であって前記前記第１コントローラー３４Ａ，第２コントローラー３４Ｂ，第３コントローラー３４Ｃ，第４コントローラー３４Ｄと後述する管理用コンピューターを結ぶ機能を有している。
前記中継基板３８は中継基板用ＬＡＮケーブル４０を介してパチンコ店の管理室に設置された管理用コンピューターとしてのパソコン４２に接続されている。このパソコン４２は前記アンテナ３０、第１コントローラー３４Ａ，第２コントローラー３４Ｂ，第３コントローラー３４Ｃ，第４コントローラー３４Ｄ、中継基板３８を介して異常情報が送られてきた場合にパソコン４２の画面部４４に「何番台のパチンコ機で異常」と表示するようになっている。
従って、このパソコン４２の画面部４４を見ることにより何番台のパチンコ機１２に改竄が加えられたかを一目で知ることができるようになっている。
なお、前記パソコン４２はＩＣタグ２０に不正行為（例えば、ＩＣタグ２０を剥がそうとしてＩＣタグ２０に不要な力が加えられたような行為）が加わった場合は異常情報の発生日時と異常情報が発信されたＩＣタグ２０が付されたパチンコ機１２の番台を記録する機能を有している。
なお、前記第１コントローラー３４Ａ，第２コントローラー３４Ｂ，第３コントローラー３４Ｃ，第４コントローラー３４Ｄ、中継基板３８、パソコン４２はそれぞれ独自の電源を有しているが、前記アンテナ３０は第１コントローラー３４Ａ，第２コントローラー３４Ｂ，第３コントローラー３４Ｃ，第４コントローラー３４Ｄからそれぞれ電源を供給されている。【０００８】  次に、第１実施例の遊技機の改竄監視システム１０の作用を説明する。
第１実施例の遊技機の改竄監視システム１０をパチンコ店にセットするためには図１に示されるようにアンテナ３０をパチンコ機１２の背面に配設すると共にアンテナ用ＬＡＮケーブル３２、第１コントローラー３４Ａ，第２コントローラー３４Ｂ，第３コントローラー３４Ｃ，第４コントローラー３４Ｄ、コントローラー用ＬＡＮケーブル３６、中継基板３８、中継基板用ＬＡＮケーブル４０、パソコン４２、をそれぞれセッティングする。
また、パチンコ店に設置されている全てのパチンコ機１２の基板収容ケース１４にはケース本体１６とケース蓋１８を跨ぐようにしてＩＣタグ２０を貼り付ける。
これにより、遊技機の改竄監視システム１０のセット準備が完了する。
実施例の遊技機の改竄監視システム１０がセットされたパチンコ店において遊技機の改竄監視システム１０を「オン状態」にすると第１コントローラー３４Ａは管理する１６台のパチンコ機１２の中の番台の一番若い１番台のパチンコ機１２に対応しているアンテナ３０に対してＩＣタグ２０の情報を確認するように指示を出す。
これにより、前記第１コントローラー３４Ａに接続されているアンテナ３０は電波を発信して１番台のパチンコ機１２に取り付けられているＩＣタグ２０と通信を行う。アンテナ３０はＩＣタグ２０の製造番号等の種々の情報を受信した後で第１コントローラー３４Ａにその情報を送信する。
前記アンテナ３０から情報を受け取った第１コントローラー３４Ａはその情報が正常か異常かを瞬時に判断する。第１コントローラー３４Ａが送られてきた情報が正常情報であると判断すると前記第１コントローラー３４Ａは管理している１６台のパチンコ機１２の中の２番台のパチンコ機１２に配設されているアンテナ３０に対してＩＣタグ２０の情報を確認するように指示をする。
このようにして、前記第１コントローラー３４Ａは１番台のパチンコ機１２から２番台のパチンコ機１２、３番台のパチンコ機１２というように順番に情報確認指示をそれぞれのパチンコ機１２に配設されているアンテナ３０に対して順番に行う。そして、１６番目の１６番台のパチンコ機１２の情報確認が終了したら前記第１コントローラー３４Ａは再び１番台のパチンコ機１２のＩＣタグ２０の情報を確認するように指示することによりエンドレスで第１番台のパチンコ機１２〜第１６番台のパチンコ機１２のＩＣタグ２０の情報確認作業を繰り返す。
なお、遊技機の改竄監視システム１０を「オン状態」にすると前記第１コントローラー３４Ａだけでなく前記第２コントローラー３４Ｂ，第３コントローラー３４Ｃ，第４コントローラー３４Ｄもそれぞれ管理する１６台のパチンコ機１２の中の若い番台のパチンコ機１２から順番に前記第１コントローラー３４Ａが行ったＩＣタグ２０の情報確認作業を同時進行で行う。【０００９】  また、例えば、不法者が深夜等にパチンコ店に忍び込んで１５番台のパチンコ機１２の基板収容ケース１４に収容されている制御基板を改竄しようとして無理に基板収容ケース１４のケース蓋１８を開けるために前記ＩＣタグ２０を剥がすと前記ＩＣタグ２０には不要な力が加わることになる。これにより、前記ＩＣタグ２０に内蔵されているＩＣチップ２４が破損等する。
このような状態になった時に前記第１コントローラー３４Ａがエンドレスで行っている前記情報確認作業によって前記アンテナ３０が電波を発信してＩＣタグ２０と通信を行おうとしてもＩＣチップ２４が破損等した前記ＩＣタグ２０は正常な情報を発信することができない。
従って、前記アンテナ３０は異常情報を前記第１コントローラー３４Ａに送信する。
アンテナ３０から前記情報を受け取った第１コントローラー３４Ａは当該情報を異常情報と判断すると、前記中継基板３８を介してパソコン４２に１５番台のパチンコ機１２は異常情報を発信した旨を報告する。
前記第１コントローラー３４Ａから異常情報の報告を受け取ったパソコン４２はアンテナ３０のＩＰが何番台のパチンコ機１２で異常が起こっているかを判断し、画面部４４上に「１５番台のパチンコ機１２は異常情報」と表示する。
従って、パチンコ店側はパソコン４２の画面４４を一目見ることにより多数のパチンコ機１２の中の１５番台のパチンコ機１２で不正行為行われた可能性があることを瞬時に知ることができる。
これにより、パチンコ店側はパソコン４２の画面部４４に表示されている１５番台のパチンコ機１２に駆けつけて、不正にパチンコ機１２のゲームをコントロールして多くの出玉を不正に獲得する行為を未然に防止することができる。
従って、本考案の遊技機の改竄監視システム１０を使用することにより、労力と時間をかけることなく多数のパチンコ機１２の改竄をチェック、監視することができる。
なお、パチンコ機１２の改竄チェックが終了したら、改竄行為が行われた前記パチンコ機１２の基板収容ケース１４に新しいＩＣタグ２０を貼り付ける。また、前記パソコン４２をリセット操作して画面部４４に表示されている「１５番台のパチンコ機１２は異常情報」の表示を消す。
そして、同様に再び、パソコン４２でパチンコ機１２の監視を継続する。【００１０】  図３には本考案の第２実施例の遊技機の改竄監視システム５０が示されている。なお、第１実施例と同一の構成は同一の符号を用いてその説明を省略する。
第２実施例の遊技機の改竄監視システム５０に適用される第１コントローラー５４Ａ，第２コントローラー５４Ｂ，第３コントローラー５４Ｃ，第４コントローラー５４Ｄは接続されたそれぞれのアンテナ３０の管理を行う機能を有している。
しかし、これら第１コントローラー５４Ａ，第２コントローラー５４Ｂ，第３コントローラー５４Ｃ，第４コントローラー５４Ｄは第１実施例の第１コントローラー３４Ａ，第２コントローラー３４Ｂ，第３コントローラー３４Ｃ，第４コントローラー３４Ｄと異なりアンテナ３０から受け取ったＩＣタグ２０の情報の比較、照合を行う機能は有していない。
なお、前記第１コントローラー５４Ａ，第２コントローラー５４Ｂ，第３コントローラー５４Ｃ，第４コントローラー５４Ｄはアンテナ３０から受けた情報を中継基板３８を介して管理用コンピューターとしてのパソコン５６に送信する機能を有している。
このパソコン５６は前記第１コントローラー５４Ａ，第２コントローラー５４Ｂ，第３コントローラー５４Ｃ，第４コントローラー５４Ｄから送られてきたＩＣタグ２０の情報の比較、照合、判断を行う機能を有している。
また、前記パソコン５６は送られてきたＩＣタグ２０の情報が異常であると判断した場合は、パソコン５６の画面部５８に「何番台のパチンコ機で異常」と表示する機能を有している。
なお、第２実施例の遊技機の改竄監視システム５０の他の構成は第１実施例の遊技機の改竄監視システム１０と同一であるので、その説明は省略する。【００１１】  次に、第２実施例の遊技機の改竄監視システム５０の作用を説明する。なお、第１実施例の遊技機の改竄監視システム１０の作用、効果と同一の点はその説明を省略する。
第２実施例の遊技機の改竄監視システム５０をパチンコ店にセットする場合は第１実施例の遊技機の改竄監視システム１０と同じようにセッティングする。
遊技機の改竄監視システム５０がセットされたパチンコ店において遊技機の改竄監視システム１０を「オン状態」にすると第１コントローラー５４Ａは管理する１６台のパチンコ機１２の中の番台の一番若い１番台のパチンコ機１２に対応しているアンテナ３０に対してＩＣタグ２０の情報を確認するように指示を出す。
これにより、前記第１コントローラー５４Ａに接続されているアンテナ３０は電波を発信して１番台のパチンコ機１２に取り付けられているＩＣタグ２０と通信を行う。アンテナ３０はＩＣタグ２０の製造番号等の種々の情報を受信した後で第１コントローラー５４Ａにその情報を送信する。
前記アンテナ３０から情報を受け取った第１コントローラー５４Ａはその情報をそのまま中継基板３８を介してパソコン５６に送る。
第１コントローラー５４Ａは前記情報をパソコン５６に送ると２番台のパチンコ機１２、３番台のパチンコ機１２というように順番に情報確認指示をそれぞれのパチンコ機１２に配設されているアンテナ３０に対して順番に行う。そして、１６番目の１６番台のパチンコ機１２の情報確認が終了したら前記第１コントローラー５４Ａは再び１番台のパチンコ機１２のＩＣタグ２０の情報を確認するように指示することによりエンドレスで１番台のパチンコ機１２〜１６番台のパチンコ機１２のＩＣタグ２０の情報確認作業を繰り返す。
一方、前記第１コントローラー５４ＡからＩＣタグ２０の情報を送られたパソコン５６は当該情報が正常か異常かを照合判断する。
前記パソコン５６が情報を異常であると判断した場合は、その異常情報を照合して前記パソコン５６の画面部５８に「何番台のパチンコ機で異常」と表示する。
なお、遊技機の改竄監視システム５０を「オン状態」にすると前記第１コントローラー５４Ａだけでなく前記第２コントローラー５４Ｂ，第３コントローラー５４Ｃ，第４コントローラー５４Ｄもそれぞれ管理する１６台のパチンコ機１２の中の若い番台のパチンコ機１２から順番にＩＣタグ２０の情報確認作業を同時進行で行いアンテナ３０からの情報をそのまま中継基板３８を介してパソコン５６に送る。
なお、他の作用、効果は第１実施例の遊技機の改竄監視システム１０と同一であるので、その説明は省略する。【００１２】  なお、第１実施例の遊技機の改竄監視システム１０、第２実施例の遊技機の改竄監視システム５０の第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）とパソコン４２（５６）の通信を図４に示すようにＰＬＣ（電力線通信）に置き換えるようにしてもよい。
この場合は図４に示されるように、第１コントローラー３４Ａ（５４Ａ），第２コントローラー３４Ｂ（５４Ｂ），第３コントローラー３４Ｃ（５４Ｃ），第４コントローラー３４Ｄ（５４Ｄ）のコントローラー用ＬＡＮケーブル３６は第１ＰＬＣ変換機６０に接続されている。この第１ＰＬＣ変換機６０のケーブルは既設されている電力線６２の第１コンセント６４Ａに接続されている。
また、パソコン４２（５６）に接続されたコンピューター用ＬＡＮケーブル６６は第２ＰＬＣ変換機６８に接続されている。この第２ＰＬＣ変換機６８のケーブルは前記電力線６２の第２コンセント６４Ｂに接続されている。
従って、遊技機の改竄監視システム１０，５０においてＰＬＣ（電力線通信）を利用すれば前記中継基板３８を不要にすることができる。【００１３】  なお、この実施例では遊技機としてパチンコ機１２を例にして説明したが、遊技機はパチンコ機１２に限定されるものでなく、例えばパチスロ機等をはじめとする他の遊技機でもよいことは勿論である。
また、この実施例ではＩＣタグ２０をパチンコ機１２の制御部としての制御基板が収容される基板収容ケース１４に取り付ける場合を例にして説明したが、ＩＣタグ２０をパチンコ機１２の他の箇所に取り付けてパチンコ機１２の他の箇所の改竄等をチェック、監視するようにしてもよいことは勿論である。例えば、前記ＩＣタグ２０をパチンコ機１２の前扉に貼付することによりパチンコ機１２の前扉を開放すると前記ＩＣタグ２０がアンテナ３０から離れすぎてアンテナ３０が前記ＩＣタグ２０の情報を受信できなくなることにより異常と判断し、パソコン４２の画面部４４に「異常情報」と表示されることにより不正行為を監視することができる。
なお、この実施例ではＩＣタグ２０をパチンコ機１２の制御部としての制御基板が収容される基板収容ケース１４に１つ取り付ける場合を例にして説明したが、取り付けられるＩＣタグ２０の数は１つに限定されるものでないことは勿論である。
また、この実施例では第１コントローラー３４Ａ、５４Ａ，第２コントローラー３４Ｂ、５４Ｂ，第３コントローラー３４Ｃ、５４Ｃ，第４コントローラー３４Ｄ、５４Ｄの４台のコントローラーで６４台のパチンコ機１２を監視したが、コントローラーは４台に限定されるものでなく、また、１台のコントローラーが管理するパチンコ機１２の数も１６台に限定されるものでないことは勿論である。
なお、実施例では管理用コンピューターとしてパソコン４２，５６を示したが管理用コンピューターはパソコンに限定されるものでないことは勿論である。
【図面の簡単な説明】
【００１４】
【図１】第１実施例の遊技機の改竄監視システムの全体概略図である。
【図２】第１実施例の遊技機の改竄監視システムに使用されるＩＣタグの正面図である。
【図３】第２実施例の遊技機の改竄監視システムの全体概略図である。
【図４】第１実施例、第２実施例の遊技機の改竄監視システムの変形例を示す全体概略図である。
【符号の説明】
【００１５】１０    遊技機の改竄監視システム
１２    パチンコ機
１４    基板収容ケース
１６    ケース本体
１８    ケース蓋
２０    ＩＣタグ
３０    アンテナ
３２    アンテナ用ＬＡＮケーブル
３４Ａ  第１コントローラー
３４Ｂ  第２コントローラー
３４Ｃ  第３コントローラー
３４Ｄ  第４コントローラー
３６    コントローラー用ＬＡＮケーブル
３８    中継基板
４０    中継基板用ＬＡＮケーブル
４２    パソコン
４４    画面部
【図１】
0003134405.tif 000003
【図２】
0003134405.tif 000004
【図３】
0003134405.tif 000005
【図４】
0003134405.tif 000006